(57)【要約】【課題】光センサの検出精度の向上を図ることができる照明装置を提供する。【解決手段】１本以上の直管部４ｇ，４ｈを有する蛍光ランプ４と；この蛍光ランプ４の１本の直管部４ｇからの光を検出する光センサ６と；蛍光ランプ４からの光を反射するとともに、光センサ６が１本の直管部４ｇからの光を検知可能な検出孔（透孔）５ｂが形成された反射体５と；蛍光ランプ４を調光点灯可能に点灯させる点灯回路および前記光センサ６により検出された検出結果に基づいて前記蛍光ランプ４の明るさが一定になるように前記点灯回路を制御する制御部を有する点灯装置７と；前記点灯装置７、反射体５、光センサ６および蛍光ランプ４を配設しているランプケース本体３ａと；を具備している。【選択図】  図１
2010257766.tif 000002
【特許請求の範囲】
【請求項１】
１本以上の直管部を有する光源と；
この光源の１本の直管部からの光を検出する光センサと；
光源からの光を反射するとともに、光センサが１本の直管部からの光を検知可能な検出孔が形成された反射体と；
光源を調光点灯可能に点灯させる点灯回路と；
前記光センサにより検出された検出結果に基づいて前記光源の明るさが一定になるように前記点灯回路を制御する制御部と；
前記制御部、点灯回路、反射体、光センサおよび光源を配設している照明装置本体と；
を具備していることを特徴とする照明装置。
【発明の詳細な説明】
【技術分野】
【０００１】
本発明は、照明装置本体に光センサを配設した照明装置に関する。
【背景技術】
【０００２】
一般に、照明装置の明るさを一定に制御する方法としては、照明される床面の反射光を光センサにより検出して床面の照度を一定に制御する方法がある。
【０００３】
また、ランプ（光源）の近傍に光センサを設け、その光センサの検出値に基づいてランプの明るさが一定になるように制御する方法がある。
【０００４】
さらに、後者の方法の一例としては、例えばランプの光を反射する反射板のランプから光がランプに戻ってくるエリアに検出孔を設け、この検出孔を通して光センサにより明るさを検出する照明器具が知られている（例えば、特許文献１参照）。
【先行技術文献】
【特許文献】
【０００５】
【特許文献１】特開２００５−１２３１５２号公報
【発明の概要】
【発明が解決しようとする課題】
【０００６】
しかしながら、上記特許文献１記載の照明器具は、反射板のランプから出た光がランプに戻ってくるエリアに設けた検出光を通して光センサにより明るさを検出するので、このランプが例えばＵ字形等所要形状の屈曲形蛍光ランプの場合や、複数の直管状の蛍光ランプが並設されている場合には、この光センサによる光検出精度が低下するという課題がある。
【０００７】
すなわち、一般に、照明器具では、その内部の温度が外気や光源により加熱される空気の自然対流のために重力方向上部の方が、下部よりも温度が高いという分布を有する。また、一般に蛍光ランプでは温度の高い部分の方が温度の低い部分よりも明るさが低いという特性を有する。
【０００８】
このために、光源が、屈曲形蛍光ランプの場合には、同じ１本の蛍光ランプであっても、その取付方法により重力方向上方に位置する上部とその下部がある場合には、温度が高い上部の方が温度の低い下部よりも明るさが低くなるという明るさの分布が発生する。
【０００９】
また、複数本の蛍光ランプを上下方向に配置した場合には、上方に配置された蛍光ランプの方が下方に配置された蛍光ランプよりも明るさが暗いという分布が発生する。
【００１０】
しかも、これら明るさの分布は外気温やランプの加熱温度に応じて変動し、その変動も一様ではなく、ばらつきが発生する。すなわち、１本の蛍光ランプでも一対の電極が上下に配置されている場合には、その上部と下部の明るさのばらつきが発生する。
【００１１】
したがって、ランプの明るさの分布が相違する複数箇所の光を１つの光センサにより検出する場合には、その検出精度が明るさの変動のばらつきにより低下するという課題がある。
【００１２】
ところで、上記特許文献１記載の照明器具は、反射板で反射されたエリアの反射光を光センサにより検出するが、この反射板は、ランプの上部や下部等明るさが相違するうえに、その明るさの変動にばらつきが発生する複数の箇所からの光を反射させるので、この反射エリアの反射光を検出する光センサの検出精度はそのランプの明るさの変動のばらつきにより低下するという課題がある。
【００１３】
本発明は、このような事情を考慮してなされたもので、光センサの検出精度の向上を図ることができる照明装置を提供することにある。
【課題を解決するための手段】
【００１４】
請求項１に係る照明装置は、１本以上の直管部を有する光源と；この光源の１本の直管部からの光を検出する光センサと；光源からの光を反射するとともに、光センサが１本の直管部からの光を検知可能な検出孔が形成された反射体と；光源を調光点灯可能に点灯させる点灯回路と；前記光センサにより検出された検出結果に基づいて前記光源の明るさが一定になるように前記点灯回路を制御する制御部と；前記制御部、点灯回路、反射体、光センサおよび光源を配設している照明装置本体と；を具備していることを特徴とする。
【００１５】
ここで、「光源の１本以上の直線部をそれぞれと平行となる所要の一箇所からの光を検出する光センサ」とは、光源が例えば１本の蛍光ランプの場合は、重力方向（上下方向）の下側に位置するランプの上側または下側、あるいは２本の蛍光ランプに挟まれた中間部のいずれか一箇所からの光を光センサにより検出し、複数箇所からの光を光センサにより検出しないことを、意味している。光センサを設ける位置として好ましくは、重力方向の下側の光源の光を検出できる位置が好ましい。より好ましくは、下側の光源の中間部の光を検出可能な位置である。
【００１６】
１本以上の光源とは、直管蛍光ランプを２本以上有しているもの、１本の発光管を屈曲または連結管などにより１本の放電路を有するような直線部が２本以上有するものも含まれる。
【００１７】
また、光源が複数本の蛍光ランプのであって、これら蛍光ランプの配置に上下の差がある場合は、その上下や中間部のいずれか一箇所からの光を光センサにより検出することを意味し、上下方向複数箇所からの光を光センサにより検出しないことを意味している。そして、一般に蛍光ランプは、電極封止端部やその反対方向の先端部は明るさが変動し易いので、明るさが安定する中間部からの光を光センサにより検出することが望ましい。
【発明の効果】
【００１８】
本発明によれば、光センサは、１本以上の光源を有する照明装置の１本以上の直管部をそれぞれと平行となるとともに、１本の光源の明るさの変動にばらつきの少ない１箇所からの光を検出するので、光センサの検出精度を向上させることができる。その結果、この光センサの検出結果に基づいて光源の明るさを制御する当該制御精度の向上も図ることができる。
【図面の簡単な説明】
【００１９】
【図１】本発明の一実施形態に係る照明装置の一部を縦断面図で示す正面図。
【図２】図１で示す蛍光ランプの一例であるＵ字形蛍光ランプと光センサの位置関係を示す模式図。
【発明を実施するための形態】
【００２０】
以下、本発明の実施形態を添付図面に基づいて説明する。なお、複数の添付図面中、同一または相当部分には同一符号を付している。
【００２１】
図１は、本発明の一実施形態に係る照明装置の一部を縦断面図で示す正面図である。この図１に示すように照明装置１は、取付板や取付壁等所要の取付部２に取り付けられる照明装置本体の一例であるランプケース３内に、光源の一例である蛍光ランプ４、反射体５、光センサ６および点灯装置７を配設している。
【００２２】
ランプケース３は金属製または樹脂製の有蓋角筒状または円筒状の本体３ａの一端（図１では下端）に投光用の開口３ｂを形成している。この開口３ｂには透光性を有するガラス製やアクリル製等の前面プレート８を配設している。
【００２３】
反射板５は、その内面に、例えば回転放物面等所要形状の反射面を有し、その開口端５ａを前面プレート８側に対向させる一方、蛍光ランプ４の図中上方や側方を覆っており、蛍光ランプ４からの光を開口端５ａ側、すなわち、前面プレート８側へ反射させるようになっている。また、反射板には、蛍光ランプからの光を通す透孔５ｂが形成されている。
【００２４】
図２に示すように蛍光ランプ４は、例えばＵ字形に屈曲形成された１本の放電路を有する屈曲形蛍光ランプよりなり、Ｕ字形のガラスバルブ４ａのほぼ全内面に、蛍光体膜４ｂを形成している。ガラスバルブ４ａの一対の直管部４ｇ，４ｈの軸方向両端には一対の電極４ｃ，４ｄを封装し、その少なくとも一方の電極封止端の外面（底面）にはガラスバルブ４ａ内に連通する細径の排気管４ｅを外方に突出させた状態で一体に突設している。排気管４ｅ内には水銀４ｆまたは水銀アマルガムを封入し、ガラスバルブ４ａ内にはアルゴン等の希ガスを所定圧で封入している。
【００２５】
そして、この蛍光ランプ４は、２本の直管部４ｇ，４ｈを所要の間隔を置いて一平面上でほぼ平行に並設しているが、その一方の直管部、例えば４ｇの軸方向中間部の側面には、光センサ６を、その受光面６ａがその中間部側面に反射板５の透孔５ｂを介して対向するように配設している。
【００２６】
したがって、この光センサ６の受光面６ａと直管部４ｇとを直線的に結ぶ受光路６ｂを通すために、図１に示すように反射体５の側壁に所要形状かつ所要大の透孔５ｂを形成している。
【００２７】
光センサ６はフォトダイオード等の光電変換素子よりなり、その検出信号を点灯装置７に与える。点灯装置７は、蛍光ランプ４を調光可能に点灯させる点灯回路と、制御部を有する。制御部は、例えばマイクロプロセッサ等により構成され、光センサ６からの検出信号を受け、その検出信号に基づいて蛍光ランプの明るさを、予め設定した設定値で一定になるように点灯回路を制御する。なお、図１中、符号１０は電源端子台であり、図示しない電源ケーブルに接続される一方、電力ケーブルにより点灯装置７や蛍光ランプ４等に接続され、所要の電力を供給するようになっている。
【００２８】
したがって、点灯装置７により蛍光ランプ４が点灯されると、その蛍光ランプ４の直接光と反射板５により反射された反射光が前面プレート８を透光して外部に照射される。
【００２９】
そして、蛍光ランプ４の一対の直管部４ｇ，４ｈの中で、図１中下側に位置する直管部４ｇの図中下面からの光が光路６ｂを通って光センサ６の受光面６ａにより受光され、明るさが検出される。この明るさ検出信号は点灯装置７の制御部に与えられる。制御部は、この検出信号を予め設定されている設定値と比較し、この検出信号が設定値で一定になるように点灯回路の調光度を制御する。
【００３０】
これにより、蛍光ランプ４の明るさが設定値でほぼ一定になるように制御される。
【００３１】
そして、蛍光ランプ４の２つの直管部４ｇ，４ｈの軸方向中間部の明るさが周囲温度により相違し、しかも、これら明るさの変動にばらつきがある場合でも、光センサ６は、蛍光ランプ４の一方の直管部４ｇの図１中、下面の１箇所からの光のみを受光して明るさを検出するので、明るさの変動にばらつきのある２つの直管部４ｇ，４ｈ両者からの光を共に受光して明るさを検出する場合の当該明るさの変動のばらつきに起因する明るさ検出精度の低下を防止または低減できる。これにより、光センサ６による蛍光ランプ４の明るさ検出精度を向上させることができる。
【００３２】
また、蛍光ランプ直管部４ｇの軸方向中間部の明るさは、電極４ｃ，４ｄ封止端部やＵ字状先端部の明るさよりも安定しているので、この直管部４ｇの中間部からの光を検出する光センサ６の明るさ検出精度も安定させることができる。
【００３３】
なお、上記実施形態では、蛍光ランプとしてＵ字形の蛍光ランプ６を使用した場合について説明したが、本発明はこれに限定されるものではなく、例えば２本や３本のＵ字形ガラスバルブを連結部により一体に連結した２Ｕや３Ｕ等の蛍光ランプ、または２本の直管ガラスバルブを直管部により一体に連結したＨ形蛍光ランプ、あるいは単に複数本の直管状の蛍光ランプを並設した場合にも適用することができる。
【００３４】
すなわち、蛍光ランプがこのような蛍光ランプであっても、これら蛍光ランプの中で、任意の一発光面からの光のみを光センサ６により受光して明るさを検出し、複数の発光面からの光を光センサ６により検出しないように構成することは可能である。
【００３５】
また、上記実施形態では、前面プレート８によりランプケース３を密閉するように構成した場合について説明したが、本発明は、この前面プレート８を削除した開放形のランプケース３の場合にも適用することができる。
【００３６】
この開放形の場合、外気温度の変動による蛍光ランプ４の周囲温度の変動は、密閉形の場合よりも大きくなり、その分、蛍光ランプ４の例えば上部と下部の明るさの変動のばらつきが大きくなるので、その分、この明るさの変動のばらつきによる検出精度の低下に左右されない本発明の作用効果は顕著になる。
【符号の説明】
【００３７】
１…照明装置、３…ランプケース、３ａ…ランプケース本体、４…蛍光ランプ（光源）、５…反射体、５ｂ…透孔（検出孔）、６…光センサ、７…点灯装置（点灯回路、制御部）、８…前面プレート。
【図１】
2010257766.tif 000003
【図２】
2010257766.tif 000004